(57)【要約】      （修正有）【課題】股割り健康器を提供する。【解決手段】ベースと、前端が上に突出する二ハンドルと、からなる。ベース両側辺の二枢接部は、それぞれ、第一、第二側架を枢接し、二滑動装置は、それぞれ、ペダル４１，５１、ローラー装置４２，５２、抵抗素子４３，５３、及び、滑輪装置４４，５４、を有する。ペダルは底部のローラー装置により滑動するように、第一、或いは、第二側架上に設置される。ローラー装置のフック４２１，５２１は抵抗素子の一端部を掛設する。抵抗素子のもう一端はベース側辺の滑輪装置を囲繞して、第一、或いは、第二側架固定端上のフックに掛設され、両脚の水平方向の挟着運動と拡張運動を達成する。ローラー装置上に、更に、枢座４２２，５２２を有し、ペダル底面は対応するスリーブを設置し、その間にペダルを円滑に旋転させるためのプラスチックリング６０を設置し、脚部の旋転運動効果を達成する。【選択図】図２
0003151954.tif 000002
【実用新案登録請求の範囲】
【請求項１】
股割り健康器であって、
前端が上に突出する二つのハンドルを有し、両側辺がそれぞれ枢接部を有するベースと、
それぞれ、前記ベース両側辺の枢接部を枢接する第一、第二側架と、
それぞれ、ペダル、ローラー装置を有し、前記ペダルは底部の前記ローラー装置により滑動するように設置され、両脚を前記ペダルに載せると水平方向で挟着、拡張の運動が可能な二滑動装置と、からなり、
前記滑動装置の前記ローラー装置上に、更に、枢座を有し、
前記ペダル底面は対応するスリーブを設置し、
前記枢座と前記スリーブが結合して相対する旋転を生成することを特徴とする股割り健康器。
【請求項２】
前記ペダルの前記スリーブは、前記ローラー装置の前記枢座前に設置され、その間にプラスチックリングを設置して、前記プラスチックリングにより前記ペダルの旋転が容易になることを特徴とする請求項１に記載の股割り健康器。
【請求項３】
前記滑動装置は、更に、極限位置制限装置を有し、前記極限位置制限装置は、阻止棒と阻止体を有し、前記阻止棒は前記滑動装置底部に固設され、前記阻止体は前記第一、第二側架内側に固設され、前記阻止棒の位置は、前記極限位置制限装置により、前記滑動装置が設定範囲から滑出しないことを特徴とする請求項１、或いは、２に記載の股割り健康器。
【請求項４】
前記滑動装置は、更に、抵抗素子、及び、滑輪装置、を有し、前記ローラー装置のフックは前記抵抗素子の一端部を掛設し、前記抵抗素子のもう一端は前記ベース側辺の前記滑輪装置を囲繞して、前記第一、第二側架固定端上のフックに掛設されることを特徴とする請求項１に記載の股割り健康器。
【請求項５】
前記抵抗素子は弾性ロープであることを特徴とする請求項４に記載の股割り健康器。
【考案の詳細な説明】
【技術分野】
【０００１】
本考案は股割り健康器（レッグスプリットスウィングステッパー）に関するものであって、特に、脚部内外側を充分に運動させ、脚部が旋転運動でき、筋肉と筋脈ストレッチ、及び、ひねり運動ができる健康器具に関する。
【背景技術】
【０００２】
公知の健康器具は、その多くが身体の各部位の筋肉を鍛錬するものである。脚部の鍛錬方式としては、ランニング、太腿挟合、ステップ、ストレッチ等があるが、両太腿内外側の筋肉と筋脈ストレッチトレーニング両方ができる健康器具は少ない。
公知の脚部の健康器具には、両太腿内外側の筋肉と筋脈ストレッチトレーニングを達成するものがあるが、使用において単調で、その他の運動部位に対しては運動不足であるという欠点がある。
【０００３】
公知の健康器具により達成される運動方式は、ランニング、太腿挟合、ステップ、ストレッチ、足上げ運動などであり、両太腿内外側の筋肉と筋脈ストレッチトレーニングに対し特別に設計された健康器具が少ない。更に公知技術では、多くの異なる運動方式が可能な健康器具が存在するが、上述した運動方式と異なる脚部の運動健康器具を提供するものであり、更に多くの運動方式の選択肢を増加しているだけである。
【考案の概要】
【考案が解決しようとする課題】
【０００４】
本考案は、上述の問題を改善できるレッグスプリット（股割り）スウィングステッパーを提供することを目的とする。
【課題を解決するための手段】
【０００５】
本考案の股割り健康器は、ベースと、前端が上に突出する二つのハンドルと、からなる。ベースの両側辺の二つの枢接部は、それぞれ、第一、第二側架を枢接する。二つの滑動装置は、それぞれ、ペダル、ローラー装置、抵抗素子、及び、滑輪装置、を有する。
ペダルは底部のローラー装置により滑動するように、第一、或いは、第二側架上に設置される。
ローラー装置のフックは抵抗素子の一端部を掛設する。
抵抗素子のもう一端はベース側辺の滑輪装置を囲繞して、第一、或いは、第二側架固定端上のフックに掛設され、両脚の水平方向の挟着運動と拡張運動を達成する。
ローラー装置上に、更に、枢座を有する。ペダル底面は対応するスリーブを設置し、その間にペダルを円滑に旋転させるためのプラスチックリングを設置し、脚部の旋転運動効果を達成する。
【考案の効果】
【０００６】
１．公知技術の健康器具は、ランニング、太腿挟合、ステップ、ストレッチなどがあるが、両太腿内外側の筋肉と筋脈ストレッチトレーニング両方ができる健康器具は少なく、大部分の人の脚部の訓練方式としては、長時間のランニングに、短時間のストレッチを加えることが多い。
通常、脚部の筋肉はある部位に集中し、不均一な状態をなす。
本考案の股割り健康器は、ベースと、ベース両側の第一側架と第二側架、滑動装置からなり、滑動装置は、滑移方式で水平に移動し、且つ、滑動装置底部は抵抗素子を設置し、使用時、両脚を滑動装置のペダル上に置き、両水平方向で施力し、抵抗素子による力により、太腿内外の筋肉を運動させ、筋脈のストレッチを強化する。
また、滑動装置のローラー装置上に、更に、枢座を設置し、ペダル底面は、スリーブにより結合され、その間に、プラスチックリングを設置して、滑動を補助し、脚部のストレッチ運動と同時に、脚部のひねり運動も実行できる。
２．本考案の股割り健康器は、第一側架と第二側架が枢接方式によりベースと連結し、且つ、垂直に畳んだり、水平に展開することができる。よって、第一側架と第二側架は水平から垂直に収容でき、占有空間を減少させて、収納の便利性を増加することができる。
【図面の簡単な説明】
【０００７】
【図１】本考案の実施例の立体図である。
【図２】本考案の実施例の立体分解図である。
【図３】本考案の作動図である。
【図４】本考案の実施例の局部断面図である。
【図５】本考案のもう一つの実施例の立体図である。
【考案を実施するための形態】
【０００８】
図１〜図５に本考案の股割り健康器を示す。
本考案に係る股割り健康器は、ベース１０と、第一側架２０、および、第二側架３０と、二つの滑動装置４０、５０と、からなる。
【０００９】
ベース１０は、前端に、上向けに延伸する二つのハンドル１１を有する。ベース１０の両側辺にはそれぞれ枢接部１２を設置する。
第一側架２０と第二側架３０は、それぞれベース１０両側辺の枢接部１２に枢接される。
【００１０】
二つの滑動装置４０、５０は、それぞれ、ペダル４１、５１、ローラー装置４２、５２、抵抗素子４３、５３、及び、滑輪装置４４、５４、を有する。
ペダル４１、５１は底部のローラー装置４２、５２により滑動するように、第一、第二側架２０、３０上に設置される。
【００１１】
ローラー装置４２、５２のフック４２１、５２１は抵抗素子４３、５３の一端部を掛設する。
抵抗素子４３、５３のもう一端はベース１０側辺の滑輪装置４４、５４を囲繞して、第一、第二側架２０、３０固定端上のフック２１、３１に掛設される。
両脚は、ペダル４１、５１上で、水平に開閉運動できる。
【００１２】
滑動装置４０、５０のローラー装置４２、５２上に、更に、枢座４２２、５２２を有する。ペダル４１、５１底面は対応するスリーブ４１１、５１１を設置し、その間にプラスチックリング６０を設置して、滑動を補助し、脚部旋転運動効果を兼ね備える。
【００１３】
滑動装置４０、５０は、更に、極限位置制限装置７０を有する。
極限位置制限装置７０は、阻止棒７１と阻止体７２を有する。
阻止棒７１は滑動装置４０、５０の底部に固設される。
阻止体７２は第一、第二側架２０、３０内側に固設される。
【００１４】
阻止棒７０の位置は、極限位置制限装置７０により、滑動装置４０、５０が設定範囲から滑出しない。
【００１５】
ベース１０は、枢設部１２により第一側架２０及び第二側架３０を枢接するので、第一、第二側架２０、３０は使用する時に、水平状態に展開し、使用後、垂直に折り畳むことができて、収納時の占有空間を減少させることができる。
抵抗素子４３、５３は弾性素子か弾性ロープである。
【００１６】
スウィングステッパーは、運動する人が滑動装置４０、５０のペダル４１、５１上に立って、両脚を横方向に拡張して施力する時、両滑動装置４０、５０が、第一、第二側架２０、３０上で横向けに滑移する。
【００１７】
両滑動装置４０、５０は同時に、抵抗素子４３、５３を引く力を受け、運動者は、抵抗素子４３、５３の力より大きい力を施力して、両滑動素子４０、５０を横に拡張させる。緩めると、抵抗素子４３、５３は両滑動装置４０、５０を元の位置に戻る。
【００１８】
これにより、反覆運動が太腿内外の筋肉を運動させ、筋脈のストレッチを強化する。
また、ペダル４１、５１は、スリーブ４１１、５１１によりローラー装置４２、５２の枢座４２２、５２２に結合され、旋転を生成する。
よって、運動者は、脚部のストレッチ運動と同時に、身体や脚部のひねり運動も実行でき、運動に更に変化を与える。
【００１９】
図５に他の形態を示す。
本例が図１の形態と異なるところは、図１の抵抗素子４３、５３、及び、抵抗素子４３、５３の設置に伴って増加する設備、例えば、滑輪装置４４、５４等が不要であることであり、これでもひねり運動を実施することができる。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００２１】
１０        ベース
１１        ハンドル
１２        枢接部
２０        第一側架
２１、３１  フック
３０        第二側架
４０、５０  滑動装置
４１、５１  ペダル
４２、５２  ローラー装置
４３、５３  抵抗素子
４４、５４  滑輪装置
４２１、５２１  フック
４２２、５２２  枢座
４１１、５１１  スリーブ
６０        プラスチックリング
７０        極限位置制限装置
７１        阻止棒
７２        阻止体
【図１】
0003151954.tif 000003
【図２】
0003151954.tif 000004
【図３】
0003151954.tif 000005
【図４】
0003151954.tif 000006
【図５】
0003151954.tif 000007